(57)【要約】【課題】使用者の様々な体格に対応可能であり、着座姿勢の人の姿勢を矯正して腰への負担を軽減することに加え他の身体サポートにも適用でき、しかも使用者の経済的負担も小さくすることができるサポートバンドを提供すること。【解決手段】中間帯部と、前記中間帯部の長手方向両端に連設された面ファスナー部とを有するバンド本体を備え、  前記面ファスナー部は、一面に設けられたフック状繊維面部と、前記一面と反対側の他面に設けられて前記フック状繊維面部との面接触により結合可能なループ状繊維面部とを有してなり、  前記フック状繊維面部および前記ループ状繊維面部は、前記面ファスナー部の長手方向の一端部から他端部に亘って連続的または断続的に設けられており、  前記バンド本体が、使用者の下腹部から腰部を通り胸部へと螺旋状に巻き付け可能な全長を有することを特徴とするサポートバンド。【選択図】図１
2018088983.tif 000002
【特許請求の範囲】
【請求項１】
中間帯部と、前記中間帯部の長手方向両端に連設された面ファスナー部とを有するバンド本体を備え、
前記面ファスナー部は、一面に設けられたフック状繊維面部と、前記一面と反対側の他面に設けられて前記フック状繊維面部との面接触により結合可能なループ状繊維面部とを有してなり、
前記フック状繊維面部および前記ループ状繊維面部は、前記面ファスナー部の長手方向の一端部から他端部に亘って連続的または断続的に設けられており、
前記バンド本体が、使用者の下腹部から腰部を通り胸部へと螺旋状に巻き付け可能な全長を有することを特徴とするサポートバンド。
【請求項２】
中間帯部と、前記中間帯部の長手方向両端に連設された面ファスナー部とを有するバンド本体を備え、
前記面ファスナー部は、一面に設けられたフック状繊維面部と、前記一面と反対側の他面に設けられて前記フック状繊維面部との面接触により結合可能なループ状繊維面部とを有してなり、
前記フック状繊維面部および前記ループ状繊維面部は、前記面ファスナー部の長手方向の一端部から他端部に亘って連続的または断続的に設けられており、
前記面ファスナー部が、使用者の足を少なくとも一巻きできる長さを有するサポートバンド。
【請求項３】
前記バンド本体が、使用者の下腹部から腰部を通り胸部へと逆向きの２重螺旋状に巻き付け可能な全長を有する請求項１に記載のサポートバンド。
【請求項４】
前記中間帯部の伸び率が前記面ファスナー部の伸び率よりも大きい請求項１〜３のいずれか１つに記載のサポートバンド。
【請求項５】
前記中間帯部は少なくとも１．１倍の伸び率を有している請求項１〜４のいずれか１つに記載のサポートバンド。
【請求項６】
前記バンド本体に着脱可能に装着される袋体をさらに備え、
前記袋体は、袋本体と、前記袋本体内に収納された熱緩衝材と、前記袋本体の外面側に設けられた発熱体収納用または吸熱体収納用のポケット部と、前記袋本体の外面側に設けられた前記バンド本体を挿通させる輪部とを有する請求項１〜５のいずれか１つに記載のサポートバンド。
【請求項７】
前記熱緩衝材が発泡樹脂ビーズからなる請求項６に記載のサポートバンド。
【発明の詳細な説明】
【技術分野】
【０００１】
本発明はサポートバンドに関し、詳しくは、膝や腰等をサポートするサポートバンドに関する。
【背景技術】
【０００２】
椅子に座っての長時間の作業、例えば、オフィスでの事務作業では胸を張り背筋を伸ばした正しい姿勢を保つことが腰への負担軽減となるが、正しい姿勢を長時間保つことは難しく、気を緩めると自然と上半身が前屈みになりやすい。そのため、長時間の着座姿勢によって腰痛となる人が増加している。
【０００３】
このような着座姿勢による腰への負担軽減を目的として、例えば、特許文献１に記載の背部支持装置が提案されている。この背部支持装置は、上部および下部弾性ストラップと、上部および下部弾性ストラップの両端に設けられたループ状の一対の弾性膝ストラップとを備える。また、上部および下部弾性ストラップの長さ方向の中間部は一体化されると共に、その中間部には長さ調整可能な背部支持調整機構（面状ファスナー）が設けられている。
【０００４】
この背部支持装置は、着座姿勢の人の腰に中間部を当て、一対の弾性膝ストラップを前方へ回してそれらのループを両膝に引っ掛けることにより装着される。また、一対の弾性膝ストラップをバックル部材によって連結することもでき、それによって両膝が開かないようにすることができる。
【０００５】
この背部支持装置を装着することにより、着座姿勢の使用者の腰が中間部によって前方へ押され、それによって使用者は意識せずとも背筋を伸ばすことになり、その結果、腰への負担が軽減される。
【０００６】
また、特許文献２には、腰痛を緩和ないし予防するために用いられる腰用サポーターが提案されている。この腰用サポーターは、相互に平行なベルト下部およびベルト上部を有し、かつこれらの長手方向の中央部が連結された伸縮性のベルト体を備えると共に、ベルト下部の両端部およびベルト上部の両端部にフック状繊維面部とループ状繊維面部とからなる面ファスナーがそれぞれ設けられている。
【０００７】
この腰用サポーターによれば、ベルト体の中央部を使用者の腰に当て、ベルト下部およびベルト上部の両端部を腹部側へ回して各面ファスナーのフック状繊維面部とループ状繊維面部とを重ねて面接触結合させ、ベルト体を腹部の全周に巻き付けた状態で固定することにより、効率よく腹圧を高めて、腰痛を緩和ないし予防できるとされている。
【先行技術文献】
【特許文献】
【０００８】
【特許文献１】特許第５３１９６８０号公報
【特許文献２】特開２０１５−１３９６０５号公報
【発明の概要】
【発明が解決しようとする課題】
【０００９】
特許文献１の背部支持装置は、背部支持調整機構によって長さ調整することができるため、使用者の体格差、すなわち、着座姿勢の使用者の腰から膝までの距離にある程度応じることはできるが、その調整範囲は狭い。そのため、伸長が高い人（例えば１９０ｃｍ）と低い人（例えば１４０ｃｍ）のどちらにも適した長さ調整をするのは難しい。また、構造が複雑であり製造コストが高くなるため、使用者への経済的負担が大きい。
【００１０】
また、特許文献２のように装着者の腹部の全周に巻き付けて装着するタイプの腰用サポーターは、腹部への締め付けが緩いと効果を発揮できないため、ある程度の締め付けが必要となる。そのため、腰用サポーターによって装着者の腹部が圧迫され、胃や腸といった内臓も圧迫される。したがって、腰用サポーターを装着したまま食事をすることが困難であり、食事の際は腰用サポーターを外す必要があり、食後もある程度の時間が経過するまで腰用サポーターの着用を控える必要がある。
【００１１】
さらに、腹部を圧迫する腰用サポーターを長期間着用することにより、肺下半分による呼吸が妨げられるため肺上半分の負担が大きくなって呼吸障害を生じるおそれがあること、胃、腎臓、腸等の内臓が押し下げられて内蔵下垂が生じ消化器障害や便秘等を生じるおそれがあること、下半身の血液を心臓まで運ぶ静脈が圧迫されて循環器障害を生じるおそれがあること等、人体に様々な悪影響を及ぼす可能性がある。
【００１２】
また、前記のような従来の腰用サポーターは、腰部および腹部を圧迫固定することで、腰部および腹部の筋肉の動きに制限を与えて、筋力をできるだけ使わないことで痛みを抑える構造であった。この場合のデメリットとして、使用者は腹部を圧迫されることで苦しさを感じること、長時間使用すると血流を阻害すること、筋肉の動きを制限することにより筋肉そのものが衰えてしまい、サポーターを外すとより痛みが増すことなどといった弊害があった。
また、腰の痛い部位（例えば、ぎっくり腰）によっては、筋肉の収縮が起こり、体に歪みが生じてしまうことがあるが、腰部および腹部の圧迫固定では体の歪みを解消するには至らなかった。
【００１３】
さらに、例えば女性事務員の場合、腰痛に加えて、生理痛という問題もある。一般に、生理痛が生じると、腹部と腰部を温めることで痛みを緩和することができ、そのため、生理痛緩和用の温熱カイロが市販されている。この温熱カイロは下着または衣服の上から貼り付けられるよう粘着シートを有しており、低温やけどしない約４０℃で持続的に発熱するものであるが、比較的高価であるため使用頻度が多い使用者にとっては経済的負担が大きい。
【００１４】
本発明は、このような課題に鑑みなされたものであり、使用者の様々な体格に対応可能であり、腰部および腹部を圧迫固定することなく着座姿勢の人の姿勢を矯正して腰への負担を軽減することに加え他の身体サポートにも適用でき、しかも使用者の経済的負担も小さくすることができるサポートバンドを提供することを目的とする。
【課題を解決するための手段】
【００１５】
かくして、本発明によれば、中間帯部と、前記中間帯部の長手方向両端に連設された面ファスナー部とを有するバンド本体を備え、
前記面ファスナー部は、一面に設けられたフック状繊維面部と、前記一面と反対側の他面に設けられて前記フック状繊維面部との面接触により結合可能なループ状繊維面部とを有してなり、
前記フック状繊維面部および前記ループ状繊維面部は、前記面ファスナー部の長手方向の一端部から他端部に亘って連続的または断続的に設けられており、
前記バンド本体が、使用者の下腹部から腰部を通り胸部へと螺旋状に巻き付け可能な全長を有するサポートバンドが提供される。
【００１６】
また、本発明の別の観点によれば、中間帯部と、前記中間帯部の長手方向両端に連設された面ファスナー部とを有するバンド本体を備え、
前記面ファスナー部は、一面に設けられたフック状繊維面部と、前記一面と反対側の他面に設けられて前記フック状繊維面部との面接触により結合可能なループ状繊維面部とを有してなり、
前記フック状繊維面部および前記ループ状繊維面部は、前記面ファスナー部の長手方向の一端部から他端部に亘って連続的または断続的に設けられており、
前記面ファスナー部が、使用者の足を少なくとも一巻きできる長さを有するサポートバンドが提供される。
【発明の効果】
【００１７】
本発明のサポートバンドにおけるバンド本体は、中間帯部の長手方向両端に面ファスナー部を有する簡素な構造である。そして、各面ファスナー部の表裏にはフック状繊維面部とループ状繊維面部が長手方向に連続的または断続的に設けられている。
さらに、このサポートバンドは、前記バンド本体が使用者の下腹部から腰部を通り胸部へと螺旋状に巻き付け可能な全長を有するか、あるいは前記面ファスナー部が使用者の足を少なくとも一巻きできる長さを有する。
この構成により、本発明のサポートバンドは、簡素な構造でありながら様々な装着方法で身体に装着することができ、それによって肩、胸、腹、腰、腕、骨盤、股関節、足、膝、足首等の各部位のサポーターとして使用することができる。すなわち、一つのサポートバンドで複数通りの使い方をすることができ、かつ各部位を確実にサポートすることができるため、各部位専用のサポーターが不要となる。また、本発明のサポートバンドは、簡素な構造であることから製造コストを抑えることができる。これらのことから、本発明のサポートバンドを使用すれば、使用者の経済的負担も抑えられる。
【００１８】
また、面ファスナー部のフック状繊維面部およびループ状繊維面部は一端部から他端部に亘って連続的に設けられているため、使用者の膝周りの太さに関わらず面ファスナー部のフック状繊維面部とループ状繊維面部とが確実に面接触して結合することができ、様々な体格の使用者に本発明のサポートバンドを適用することができる。さらに、このサポートバンド全体を使用者の膝や骨盤の周りに巻き付けて膝や腰をサポートする場合にも、一方の面ファスナー部のフック状繊維面部と他方の面ファスナー部のループ状繊維面部とを確実に面接触結合させて固定することができため、本発明のサポートバンドは使用者の体格に関わらず使用することができる。
【図面の簡単な説明】
【００１９】
【図１】本発明のサポートバンドの実施形態１を示す平面図である。
【図２】図１のサポートバンドの底面図である。
【図３】（Ａ）は実施形態１のサポートバンドにおける一対の面ファスナー部の接合状態を示す説明図であり、（Ｂ）は接合を解除する状態を示す説明図である。
【図４】実施形態１のサポートバンドを用いて背骨の歪みを補正する第１の装着例であって（Ａ）は前から視た図であり、（Ｂ）は右横から視た図であり、（Ｃ）は後から視た図である。
【図５】実施形態１のサポートバンドを用いてゴルフクラブのスイング前の姿勢を矯正する第１の装着例であって（Ａ）は前から視た図であり、（Ｂ）は右横から視た図であり、（Ｃ）は後から視た図である。
【図６】実施形態１のサポートバンドを用いて背骨のＳ字カーブを促す第２の装着例であって（Ａ）は前から視た図であり、（Ｂ）は左横から視た図である。
【図７】実施形態１のサポートバンドを用いて背骨のＳ字カーブを促す第３の装着例であって（Ａ）は前から視た図であり、（Ｂ）は左横から視た図である。
【図８】実施形態１のサポートバンドを用いて背骨のＳ字カーブを促す第４の装着例を示す説明図である。
【図９】実施形態１のサポートバンドを用いて膝を支持する第５の装着例を示す説明図である。
【図１０】実施形態１のサポートバンドを用いて足首を支持する第６の装着例を示す説明図である。
【図１１】実施形態１のサポートバンドを用いて腕を支持する第７の装着例を示す説明図である。
【図１２】実施形態１のサポートバンドを用いて骨盤を支持する第８の装着例であって（Ａ）は前から視た図であり、（Ｂ）は後から視た図である。
【図１３】実施形態１のサポートバンドを用いて胸を支持する第９の装着例であって（Ａ）は前から視た図であり、（Ｂ）は後から視た図である。
【図１４】実施形態１のサポートバンドを用いて股関節を支持する第１０の装着例であって（Ａ）は前から視た図であり、（Ｂ）は左横から視た図であり、（Ｃ）は後から視た図である。
【図１５】本発明のサポートバンドの実施形態２を示す平面図である。
【図１６】（Ａ）は実施形態２のサポートバンドにおける袋体を示す左側面図であり、（Ｂ）は右側面図であり、（Ｃ）は左側断面図である。
【図１７】本発明のサポートバンドの実施形態３を示す説明図である。
【図１８】実施形態２または３のサポートバンドを用いて腹部と腰部の加温または冷却を行う第１１の装着例であって（Ａ）は右横から視た図であり、（Ｂ）は左横から視た図である。
【図１９】実施形態２または３のサポートバンドを用いて肩の加温または冷却を行う第１２の装着例であって（Ａ）は前から見た図であり、（Ｂ）は右横から視た図であり、（Ｃ）は後から視た図である。
【図２０】実施形態２または３のサポートバンドを用いて両肩の加温または冷却を行う第１３の装着例であって（Ａ）は前から見た図であり、（Ｂ）は後から視た図である。
【発明を実施するための形態】
【００２０】
本発明のサポートバンドは、中間帯部と、前記中間帯部の長手方向両端に連設された面ファスナー部とを有するバンド本体を備え、
前記面ファスナー部は、一面に設けられたフック状繊維面部と、前記一面と反対側の他面に設けられて前記フック状繊維面部との面接触により結合可能なループ状繊維面部とを有してなり、
前記フック状繊維面部および前記ループ状繊維面部は、前記面ファスナー部の長手方向の一端部から他端部に亘って連続的または断続的に設けられている。
さらに、このサポートバンドは、（Ａ）前記バンド本体が使用者の下腹部から腰部を通り胸部へと螺旋状に巻き付け可能な全長を有するか、あるいは（Ｂ）前記面ファスナー部が使用者の足を少なくとも一巻きできる長さを有する。
【００２１】
前記（Ａ）のサポートバンドは、次の（Ｉ）または（ＩＩ）のように使用することができる。
【００２２】
（Ｉ）使用者の下腹部から腰部を通り胸部へと２本のサポートバンドをそれぞれ逆向きに螺旋状に巻き付け、下腹部と胸部において各サポートバンドの両端部の面ファスナー部を相互に面接触させて結合させる。この場合、各サポートバンドのバンド本体は、少なくとも使用者の下腹部から腰部を通り胸部へと１重の螺旋状に巻き付け可能な全長を有するものであり、様々な体格の使用者に対応できる長さとしては、例えば、８０〜１１０ｃｍ程度である。
【００２３】
（ＩＩ）１本のサポートバンドの長手方向中間部を使用者の下腹部に当て、下腹部から腰部を通り胸部へとサポートバンドを逆向きの２重螺旋状に巻き付け、胸部においてサポートバンドの両端部の面ファスナー部を相互に面接触させて結合させる。この場合のサポートバンドの全長は、前記（Ｉ）のサポートバンドの全長の２倍程度（１６０〜２２０ｃｍ程度）となる。
【００２４】
前記（Ｉ）および（ＩＩ）の装着例によれば、使用者の腰を圧迫するのではなく、広背筋をサポートすることで腰の筋肉の過剰な緊張を緩和させて腰痛を和らげ、かつ姿勢を垂直方向に補整（矯正）することができるため、特に、ぎっくり腰となった使用者の胴体を適切にサポートするのに有効である。また、このような装着例が可能な長さを有するサポートバンドは、腰部へ二重巻きしてサポートする、腕を骨折した場合にサポートバンドを首に掛けて腕を吊り下げるといった応急的な処置などといった多用な使い方が可能である。
【００２５】
前記（Ｂ）のサポートバンドによれば、例えば、膝の臑側にサポートバンドの一方の面ファスナー部を巻いて固定し、そこから太股へ向かってサポートバンドを巻き付けて太股に他方の面ファスナー部を固定することにより、サポートバンドにて膝をしっかりとサポートすることができる。また、このように面ファスナー部が足を一巻きできる長さを有することから、足首や肘等へ巻き付けてサポート、骨折した腕に巻き付けて応急的にサポートするなどといった多用な使い方が可能である。この場合の面ファスナー部の長さとしては、使用者の様々な足の太さを考慮して、例えば、５０〜７０ｃｍ程度とすることができる。
【００２６】
前記構成のサポートバンドは、次のように構成されてもよく、それらが適宜組み合わされてもよい。
（１）前記中間帯部の伸び率が前記面ファスナー部の伸び率よりも大きくてもよい。
このようにすれば、例えば、中間帯部が使用者の腹部に巻かれても、中間帯部の伸縮性によって腹部への圧迫を軽減することができる。
【００２７】
（２）前記中間帯部は少なくとも１．１倍の伸び率を有していてもよい。
このようにすれば、使用者の動きに十分追随できる伸縮性を中間帯部が有するものとなるため、使用者に装着したサポートバンドを緩ませずに張った状態を維持させ易くなり、この結果、使用者が動いてもフック状繊維面部とループ状繊維面部との面接触結合が緩み難くなる。
【００２８】
（３）前記バンド本体に着脱可能に装着される袋体をさらに備え、
前記袋体は、袋本体と、前記袋本体内に収納された熱緩衝材と、前記袋本体の外面側に設けられた発熱体収納用または吸熱体収納用のポケット部と、前記袋本体の外面側に設けられた前記バンド本体を挿通させる輪部とを有していてもよい。
【００２９】
このようにすれば、ポケット部に市販の使い捨てカイロを収納してサポートバンドを使用者の腹周りに巻き付けることにより、腰のサポートと同時に腰や腹を温めることができ、バンド本体に２つの袋体を装着すれば使用者の腰と腹を同時に温めることができる。
この袋体およびバンド本体を備える本発明のサポートバンドは、例えば、寒冷時の通勤や屋外での作業に適しており、また、着座姿勢で長時間作業する女性事務員の生理痛緩和にも好適である。このとき、使用者の身体と使い捨てカイロとの間に熱緩衝材を配置させることにより、使用者に伝わる使い捨てカイロの熱が緩和されるため低温やけどを防止することができる。それに加え、比較的安価な使い捨てカイロを用いることができるため、高価な生理痛緩和用の温熱カイロの使用頻度を抑えることができ、この結果、使用者の経済的負担が軽減される。
【００３０】
また、腰を痛めて冷やす必要がある場合には、ポケット部に市販の保冷剤を収納してサポートバンドを使用者の腹周りに巻き付けることにより、腰のサポートと同時に腰を冷やすことができる。この場合、保冷剤とバンド本体との間に熱緩衝材を配置させることにより、保冷剤を使用者側に配置させて効率よく腰を冷やすことができる。
【００３１】
（４）前記熱緩衝材が発泡樹脂ビーズからなるのもよい。
このようにすれば、袋体が使用者の身体にフィットする形状に容易に変形するため、使用者は違和感なくサポートバンドを身体に巻き付けて使用することができる。さらに、熱緩衝材を発泡樹脂ビーズとすることにより、発泡樹脂ビーズを袋本体の中心部に集めて厚くすれば熱の緩和を強め、発泡樹脂ビーズを袋本体の外周部に集めて中心部を薄くすれば熱の緩和を弱めることができ、使用者に伝わる熱の温度を容易に調整することができる。
【００３２】
以下、図面を参照しながら本発明のサポートバンドの実施形態について詳説する。
【００３３】
（実施形態１）
図１は本発明のサポートバンドの実施形態１を示す平面図であり、図２は図１のサポートバンドの底面図である。また、図３（Ａ）は実施形態１のサポートバンドにおける一対の面ファスナー部の接合状態を示す説明図であり、図３（Ｂ）は図３（Ａ）のサポートバンドにおける一対の面ファスナー部の接合を解除する状態を示す説明図である。
【００３４】
実施形態１のサポートバンド１は、伸縮可能な伸縮部１１Ａと、伸縮部１１Ａの長手方向両端に連設された面ファスナー部１１Ｂとを有するバンド本体を備える。
伸縮部１１Ａは、所定の幅Ｗと長さＬ1を有するゴムバンドからなり、少なくとも１．１倍の伸び率を有している。この伸び率は、ゴムバンドの長手方向両端部を相対的に引っ張って破断した時点の最大伸長長さを計測し、最大伸長長さの元の長さＬ1に対する倍率を求めることにより得られる。本発明においては、伸縮部１１Ａの伸び率は少なくとも１．１倍が好ましく、１．１〜１．３倍が実用的である。
【００３５】
面ファスナー部１１Ｂは、伸縮部１１Ａの幅Ｗ1と同等の幅Ｗ2を有する布材であり、その一面に設けられたフック状繊維面部１１Ｂａと、前記一面と反対側の他面に設けられてフック状繊維面部１１Ｂａとの面接触により結合可能なループ状繊維面部１１Ｂｂとを有してなる。
【００３６】
さらに、フック状繊維面部１１Ｂａおよびループ状繊維面部１１Ｂｂは、面ファスナー部１１Ｂの長手方向の一端部１１Ｂ1から他端部１１Ｂ2に亘って連続的に設けられているなお、実施形態１の場合、面ファスナー部１１Ｂの外周部のほつれ止めと装飾を兼ねた縁取りテープ１２が縫い付けられている。
【００３７】
また、伸縮部１１Ａと面ファスナー部１１Ｂとの境界付近に沿って布材１３が縫い付けられており、これによって伸縮部１１Ａの長手方向両端に一対の面ファスナー部１１Ｂが連結している。
【００３８】
このバンド本体１１の全長Ｌとしては、特に限定されるものではないが、後述の各種装着方法が体格の大きな使用者にも適用できる長さが好ましく、１６０〜２２０ｃｍ程度が実用的である。また、Ｓサイズを１６０ｃｍ、Ｍサイズを１９０ｃｍ、Ｌサイズを２２０ｃｍとするように複数サイズを取り揃えてもよい。
【００３９】
また、面ファスナー部１１Ｂの長さＬ2としては、特に限定されるものではないが、体格が大きな使用者の膝周り（膝近傍のふくらはぎ又は太股）を一重巻き以上できる長さが好ましく、５０〜７０ｃｍ程度が実用的である。また、Ｓサイズの場合は５０ｃｍ、Ｍサイズの場合は６０ｃｍ、Ｌサイズの場合は７０ｃｍとしてサイズ別に設定してもよい。
【００４０】
伸縮部１１Ａの長さＬ1としては、バンド本体１１の全長Ｌおよび面ファスナー部１１Ｂの長さＬ2を考慮すると６５〜９０ｃｍとすることができる。また、伸縮部１１Ａの幅Ｗ1としては、特に限定されるものではなく、例えば、６〜１２ｃｍとすることができる。なお、面ファスナー部１１Ｂの幅Ｗ2は伸縮部１１Ａの幅Ｗ1より±数ｃｍ程度異なっていてもよい。
【００４１】
面ファスナー部１１Ｂにおいて、フック状繊維面部１１Ｂａおよびループ状繊維面部１１Ｂｂは、それらがセットで市販されている公知物、例えば、マジックテープ（登録商標）、ベルクロ（登録商標）、ファスナーノ（登録商標）または米国特許第7,231789号に記載のスナッピング・ファブリックス（SNAPPING FABRICS）といった公知の面状ファスナーを用いることができる。
【００４２】
マジックテープおよびベルクロは、フック材とループ材とを個別に有してなるため、これらを用いて面ファスナー部１１Ｂを製作する場合は、例えば、布基材の一面全面にフック材（またはループ材）を縫い付けた後、その布基材の他面全面にループ材（またはフック材）を縫い付けて製作する。
【００４３】
ファスナーノおよびスナッピング・ファブリックスは、布基材の一面全面および他面全面がフック状繊維面部１１Ｂａおよびループ状繊維面部１１Ｂｂとなったものが市販されているため、これをそのまま面ファスナー部１１Ｂとして用いることができる。実施形態１では、伸び率がほぼ１倍のスナッピング・ファブリックスを用いた面ファスナー部１１Ｂを例示している。
【００４４】
ファスナーノまたはスナッピング・ファブリックスを用いた面ファスナー部１１Ｂは、図３（Ａ）に示すように、バンド本体１１を輪状に巻き、一方の面ファスナー部１１Ｂのフック状繊維面部１１Ｂａと他方の面ファスナー部１１Ｂのループ状繊維面部１１Ｂｂを面接触させることにより結合する。この面接触結合の結合力は、一対の面ファスナー部１１Ｂを相対的に引っ張る方向（矢印Ａ方向）の力に対して強いが、図３（Ｂ）に示すように、一対の面ファスナー部１１Ｂを相対的に剥離する方向（矢印Ｂ方向）の力に対しては弱い。
【００４５】
したがって、本発明のサポートバンド１０を使用者に装着した状態において、フック状繊維面部１１Ｂａとループ状繊維面部１１Ｂｂとの面接触結合を意図的に外す場合を除いては外れ難くなっている。
次に、本発明のサポートバンド１０の様々な使用方法（装着例）について説明する。
【００４６】
＜第１の装着例＞
図４は実施形態１のサポートバンドを用いて背骨（脊柱）の歪みを補正する第１の装着例であって（Ａ）は前から視た図であり、（Ｂ）は右横から視た図であり、（Ｃ）は後から視た図である。
【００４７】
第１の装着例では、例えば、伸縮部１１Ａを使用者Ｕの腹Ｕ4に当てて引き伸ばしながら一対の面ファスナー部１１Ｂを背中の腰Ｕ3付近で交差させ、さらに一対の面ファスナー部１１Ｂを胸Ｕ５側へ巻いて一方の面ファスナー部１１Ｂのフック状繊維面部１１Ｂａと他方の面ファスナー部１１Ｂのループ状繊維面部１１Ｂｂとを交差状に面接触結合させて固定する。すなわち、１本のサポートバンドの長手方向中間部を使用者Ｕの下腹部に当て、下腹部から腰部を通り胸部へとサポートバンドを逆向きの２重螺旋状に巻き付け、胸部においてサポートバンドの両端部の面ファスナー部を相互に面接触させて結合させる。
この第１の装着例によれば、使用者Ｕの腹Ｕ4を圧迫することなく腰Ｕ3から胸Ｕ5に亘ってサポートすることができ、背骨の歪みの補正や腰部筋肉の緩和を行うことができる。また、ぎっくり腰となった使用者Ｕの胴体を適切にサポートすることができる。このような装着方法は、バンド本体１１が少なくとも１７０ｃｍの全長を有していることにより可能であり、体格の大きな使用者にも十分適用することができる。
【００４８】
さらに詳しく説明すると、図４に示すサポートバンド１０の装着状態において、サポートバンド１０は使用者Ｕの右前胸下から左前骨盤および左前胸下から右前骨盤に亘ってＸ形に配置され、Ｘ形のクロス部分が使用者Ｕの腰椎付近に配置され、腰部Ｕ3の脊柱起立筋群をサポートすることができるため、腰部Ｕ3の筋肉の緊張を和らげ、体の左右の歪みを矯正することができる。さらに、Ｘ形のクロス部分によって腰部Ｕ3付近が前方へ押圧され、両端部によって胸部Ｕ5が後方へ引き寄せられる。これにより、使用者Ｕの脊柱が正常なＳ字カーブに矯正され、腰痛の緩和ないし予防をすることができる。
【００４９】
また、図４に示す装着状態においては、着用時の使用者の腹部を圧迫することがないため、腹部圧迫に伴う前記のような呼吸障害、消化器障害、循環器障害といった人体への様々な悪影響を生じにくく、着用したまま食事しても腹部が苦しくならず、着座姿勢での事務作業や軽度な前屈運動も楽に行える等、日常生活において安全かつ健康的に使用することができる。
【００５０】
図５は（Ａ）は実施形態１のサポートバンドを用いてゴルフクラブのスイング前の姿勢を矯正する第１の装着例であって（Ａ）は前から視た図であり、（Ｂ）は右横から視た図であり、（Ｃ）は後から視た図である。図５に示すように、第１の装着例では、使用者Ｕが背筋を伸ばしてゴルフクラブＧをスイングするように姿勢を矯正することにも適用できる。
また、重い荷物を持つ人、前屈みで作業をする人、ゴルフ、テニス、野球等の捻転を使ってボールを打つスポーツをする人などに対しても、本発明の体幹サポーター１０は使用者の腰の筋肉をサポートし、腰への負担を軽減すると共に、筋肉のパフォーマンスの向上にも役立つ。
【００５１】
なお、図４および図５では１本のサポートバンドを用いて使用者の胴体に逆向きの二重螺旋状に巻き付けた場合を例示したが、この装着例において、１本のサポートバンドは２本に分割されていてもよい（図示省略）。この場合、使用者の下腹部から腰部を通り胸部へと２本のサポートバンドをそれぞれ逆向きに２重螺旋状に巻き付け、下腹部と胸部において各サポートバンドの両端部の面ファスナー部を相互に面接触させて結合させる。なお、この場合のサポートバンドの長さとしては、例えば、８０〜１１０ｃｍ程度である。
【００５２】
＜第２の装着例＞
図６は実施形態１のサポートバンドを用いて背骨のＳ字カーブを促す第２の装着例であって（Ａ）は前から視た図であり、（Ｂ）は左横から視た図である。
この場合、例えば、まず、椅子に座った使用者Ｕの左膝Ｕ1下に一方の面ファスナー部１１Ｂを巻き付けて一面側のフック状繊維面部１１Ｂａと他面側のループ状繊維面部１１Ｂｂとを面接触結合させて固定する（図３（Ａ）参照）。次に、伸縮部１１Ａを腰に当てながら右膝Ｕ2の方へ引っ張りながら他方の面ファスナー部１１Ｂを右膝Ｕ2下に巻き付けて一面側のフック状繊維面部１１Ｂａと他面側のループ状繊維面部１１Ｂｂとを面接触結合させて固定する。
【００５３】
第２の装着例のようにサポートバンド１０を装着することにより、着座姿勢の使用者Ｕの腰Ｕ3が伸縮部１１Ａによって前方（矢印Ｃ方向）へ押されるので、使用者Ｕは自然と背筋が伸びた姿勢をとることができ、長時間着座姿勢を続ける際の腰Ｕ3への負担が軽減される。このとき、面ファスナー部が少なくとも５０ｃｍの長さを有していることにより、体格の大きな使用者Ｕの太い膝周りに面ファスナー部１１Ｂを一重以上巻いて固定することができる。
【００５４】
＜第３の装着例＞
図７は実施形態１のサポートバンドを用いて背骨のＳ字カーブを促す第３の装着例であって（Ａ）は前から視た図であり、（Ｂ）は左横から視た図である。
第３の装着例の場合、バンド本体１１の伸縮部１１Ａを椅子に座った使用者Ｕの左膝Ｕ1および右膝Ｕ2に当てた状態で両端側の面ファスナー部１１Ｂを腰Ｕ3に回し、一端部１１Ｂ１と他端部１１Ｂ２とを重ね合わせて面接触結合させることにより装着する。
第３の装着例は、第２の装着例よりも簡易的でかつ装着時に比較的力を必要としない装着方法である。また、使用者Ｕは自然と脚を閉じた着座姿勢となる。そのため、第３の装着方法は、腕力が比較的弱く、脚を開いた着座姿勢を気にする女性に適している。
【００５５】
＜第４の装着例＞
図８は実施形態１のサポートバンドを用いて背骨のＳ字カーブを促す第４の装着例を示す説明図である。
第４の装着例の場合、例えば、まず、椅子に座った使用者Ｕの右膝Ｕ2下に一方の面ファスナー部１１Ｂを巻き付けて一面側のフック状繊維面部１１Ｂａと他面側のループ状繊維面部１１Ｂｂとを面接触結合させて固定する（図３（Ａ）参照）。次に、伸縮部１１Ａを腰の左側に当てながら巻いて左膝Ｕ1の方へ引っ張りながら他方の面ファスナー部１１Ｂを左膝Ｕ1下に巻き付けて一面側のフック状繊維面部１１Ｂａと他面側のループ状繊維面部１１Ｂｂとを面接触結合させて固定する。
【００５６】
第４の装着例のようにサポートバンド１０を装着することにより、一対の面ファスナー部１１Ｂが膝付近で交差して左右の膝Ｕ1、Ｕ2下に固定されるため、左右の膝Ｕ1、Ｕ2が相互に引き寄せられ、使用者Ｕは自然と脚を閉じた着座姿勢で腰Ｕ3の負担が軽減される。このような着座姿勢でのサポートバンド１０の装着状態において、伸縮部１１Ａによって一対の面ファスナー部１１Ｂは引っ張られているため、左右の膝Ｕ1、Ｕ2下に固定された各面ファスナー部１１Ｂの面接触結合が不意には外れ難い。一方、各面ファスナー部１１Ｂの先端部を手で剥がせば簡単に面接触結合が解かれるため、使用者Ｕが席から離れる際は迅速にサポートバンド１０を取り外すことができる。
【００５７】
＜第５の装着例＞
図９は実施形態１のサポートバンドを用いて膝を支持する第５の装着例を示す説明図である。
第５の装着例は、使用者Ｕの膝全体をサポートバンド１０によってサポートする方法であり、例えば、膝上の太股から膝下のふくらはぎに向かってサポートバンド１０を巻き、終端となる一方の面ファスナー部１１Ｂの一面側のフック状繊維面部１１Ｂａと他面側のループ状繊維面部１１Ｂｂとを面接触結合させて固定する（図３（Ａ）参照）。この場合も、面ファスナー部１１Ｂの面接触結合が不意に外れ難く、かつ取り外しは簡単である。
【００５８】
＜第６の装着例＞
図１０は実施形態１のサポートバンドを用いて足首を支持する第６の装着例を示す説明図である。
例えば、自宅または外出先で足首Ｕ6を捻挫した場合、第６の装着例のように使用者Ｕの足首Ｕ6にサポートバンド１０を巻きつけて応急的に保護することができる。
【００５９】
＜第７の装着例＞
図１１は実施形態１のサポートバンドを用いて腕を支持する第７の装着例を示す説明図である。
例えば、自宅または外出先で腕Ｕ7を負傷（骨折等）した場合、第７の装着例のように使用者Ｕの腕Ｕ7にサポートバンド１０の両端側の面ファスナー部１１Ｂを巻き付け、かつ伸縮部１１Ａを肩Ｕ8に掛けることにより、負担がかからないよう腕Ｕ7を吊り下げて応急的に支持することができる。この場合、添え木を腕Ｕ7に当てた状態でサポートバンド１０を巻き付けてもよい。
【００６０】
＜第８の装着例＞
図１２は実施形態１のサポートバンドを用いて骨盤を支持する第８の装着例であって（Ａ）は前から視た図であり、（Ｂ）は後から視た図である。
第８の装着例では、例えば、伸縮部１１Ａの中間部を使用者Ｕの腹Ｕ4に当てながらサポートバンド１０を骨盤周りに巻き、一方の面ファスナー部１１Ｂのフック状繊維面部１１Ｂａと他方の面ファスナー部１１Ｂのループ状繊維面部１１Ｂｂとを面接触結合させる。
【００６１】
このようにすれば、使用者Ｕの起立動作および歩行動作時にも骨盤周りをサポートバンド１０にてサポートすることができ、サポートバンド１０を装着したまま着座することも可能となる。この装着方法は、特に、使用者Ｕの腰痛の軽減に適している。
【００６２】
＜第９の装着例＞
図１３は実施形態１のサポートバンドを用いて胸を支持する第９の装着例であって（Ａ）は前から視た図であり、（Ｂ）は後から視た図である。
例えば、自宅または外出先で肋骨を負傷（骨折等）した場合、第９の装着例のように使用者Ｕの胸Ｕ5にサポートバンド１０を巻き付けることにより、肋骨を応急的に保護することができる。
【００６３】
＜第１０の装着例＞
図１４は実施形態１のサポートバンドを用いて股関節を支持する第１０の装着例であって（Ａ）は前から視た図であり、（Ｂ）は左横から視た図であり、（Ｃ）は後から視た図である。
例えば、自宅または外出先で股関節を負傷した場合、第１０の装着例のように使用者Ｕの足の付け根から腰Ｕにかけてサポートバンド１０を巻き付けることにより、負担がかからないよう股関節を応急的に支持することができる。
【００６４】
（実施形態２および３）
図１５は本発明のサポートバンドの実施形態２を示す平面図である。また、図１６（Ａ）は実施形態２のサポートバンドにおける袋体を示す左側面図であり、（Ｂ）は右側面図であり、（Ｃ）は左側断面図である。なお、図１５において、図１〜３中の要素と同様の要素には同一の符号を付している。
【００６５】
実施形態２のサポートバンド１００は、実施形態１で説明したバンド本体１１と、バンド本体１１に着脱可能に装着される袋体１０１とを備える。なお、実施形態２では袋体１０１を２個備えた場合を例示しているが、袋体１０１の数は特に限定されず、１個でも３個以上でもよい。
【００６６】
袋体１０１は、袋本体１０２と、前記袋本体内に収納された熱緩衝材１０３と、袋本体１０２の外面側に設けられた発熱体収納用のポケット部１０４と、袋本体１０２の外面側に設けられたバンド本体１１を挿通させる輪部１０５とを有する。
【００６７】
袋本体１０２は、例えば伸縮性の生地にて長方形袋形に縫製されてなり、その内部には熱緩衝材１０３が封入されている。
この熱緩衝材１０３としては、例えば、発泡樹脂ビーズ、ウレタンフォーム等が挙げられ、これらの中でも、使用者の身体にフィットしやすい発泡樹脂ビーズが好ましい。
【００６８】
ポケット部１０４は、例えば長方形の厚手の生地からなり、その長方形の生地の外周部３辺を袋本体１０２の外周部３辺に縫い付け、長方形の生地の残り１辺側を開口させることにより形成されている。
輪部１０５は、例えば長方形の厚手の生地からなり、ポケット部１０４の開口側と反対側にベルト本体１１を挿通させる開口部を有するように、その長方形の生地の外周部の対向する２辺を袋本体１０２の外周部２辺に縫い付けられて形成されている。
【００６９】
図１７は本発明のサポートバンドの実施形態３を示す説明図である。なお、図１７において、図１６（Ａ）〜（Ｃ）中の要素と同様の要素には同一の符号を付している。
実施形態３のサポートバンド２００も、ベルト本体１１と袋体２０１を備え、図１６（Ａ）で説明した実施形態２の袋体１０１におけるポケット部１０４が輪部１０５と反対側に設けられていること以外は、実施形態２と同様である。なお、熱緩衝材２０３を収納した袋本体２０２と、ポケット部２０３と、輪部２０５とを有する実施形態３の袋体２０１は、実施形態２の袋体１０１の輪部１０５を裏返しにすることにより得ることもできる。
【００７０】
例えば、身体の一部を冷やしたい場合には、実施形態３の袋体２０１のポケット部２０４に市販の保冷剤Ｑを収納してサポートバンド２００を装着することにより、身体の一部を冷やすことができる。この場合、保冷剤Ｑとバンド本体１１との間に熱緩衝材２０３を配置させることにより、保冷剤Ｑを使用者側に配置させて効率よく腰を冷やすことができる。
【００７１】
＜第１１の装着例＞
図１８は実施形態２または３のサポートバンドを用いて腹部と腰部の加温または冷却を行う第１１の装着例であって（Ａ）は右横から視た図であり、（Ｂ）は左横から視た図である。
【００７２】
例えば、腰と腹を温めたい場合、実施形態２のサポートバンド１００の２個の袋体１０１の各ポケット部１０４に市販の使い捨てカイロＫ（図１６（Ｃ）参照）を収納し、サポートバンド１００を使用者Ｕの腰周りに巻き付ける。これにより、腰Ｕ3のサポートと同時に腰Ｕ3および腹Ｕ4を温めることができる。なお、袋体１０１の数を１個にして腰Ｕ3と腹Ｕ4の一方のみを温めるようにしてもよい。
【００７３】
袋体１０１およびバンド本体１１を備える実施形態２のサポートバンド１００は、例えば、寒冷時の通勤や屋外での作業に適しており、また、着座姿勢で長時間作業する女性事務員の生理痛緩和にも好適である。このとき、使用者Ｕの身体と使い捨てカイロＫとの間に熱緩衝材１０３を配置させることにより、使用者Ｕに伝わる使い捨てカイロＫの熱が緩和されるため低温やけどを防止することができる。それに加え、比較的安価な使い捨てカイロＫを用いることができるため、高価な生理痛緩和用の温熱カイロの使用頻度を抑えることができ、この結果、使用者Ｕの経済的負担が軽減される。さらに、熱緩衝材１０３は発泡樹脂ビーズからなるため、発泡樹脂ビーズを袋本体１０２の中心部に集めて厚くすれば熱の緩和を強め、発泡樹脂ビーズを袋本体１０２の外周部に集めて中心部を薄くすれば熱の緩和を弱めることができ、使用者Ｕに伝わる熱の温度を容易に調整することができる。
【００７４】
また、例えば、急性的な腰痛を緩和するために腰を冷やしたい場合、実施形態３のサポートバンド２００の袋体２０１のポケット部１０４に市販の保冷剤Ｑ（図１７参照）を収納し、サポートバンド２００を使用者Ｕの腰周りに巻き付ける。これにより、腰Ｕ3のサポートと同時に腰Ｕ3を冷やすことができる。
【００７５】
＜第１２の装着例＞
図１９は実施形態２または３のサポートバンドを用いて肩の加温または冷却を行う第１２の装着例であって（Ａ）は前から見た図であり、（Ｂ）は右横から視た図であり、（Ｃ）は後から視た図である。
【００７６】
例えば、肩こりを緩和するために肩Ｕ8を温めたい場合、実施形態２のサポートバンド１００の２個の袋体１０１の各ポケット部１０４に市販の使い捨てカイロＫ（図１６（Ｃ）参照）を収納し、サポートバンド１００を使用者Ｕの一方の肩周りに巻き付ける。この場合、図１９（Ａ）〜（Ｃ）に示すように、バンド本体１１の伸縮部１１Ａの中間部を脇の下から肩に巻き付け、両端側の面ファスナー部１１Ｂをたすき掛けにして他方の脇の下で交差させてそれらを面接触結合させることにより、装着することができる。
【００７７】
あるいは、例えば、投手が野球の試合や練習の後に肩Ｕ8を冷やしたい場合、実施形態３のサポートバンド２００の２個の袋体２０１の各ポケット部１０４に市販の保冷剤Ｑ（図１７参照）を収納し、サポートバンド２００を使用者Ｕの一方の肩周りに巻き付ける。
なお、これらの場合、袋体１０１の数は１個でもよい。
【００７８】
＜第１３の装着例＞
図２０は実施形態２または３のサポートバンドを用いて両肩の加温または冷却を行う第１３の装着例であって（Ａ）は前から見た図であり、（Ｂ）は後から視た図である。
両肩Ｕ8を温めたい場合、実施形態２のサポートバンド１００の２個の袋体１０１の各ポケット部１０４に市販の使い捨てカイロＫ（図１６（Ｃ）参照）を収納し、サポートバンド１００を使用者Ｕの両肩周りに巻き付ける。この場合、図２０（Ａ）および（Ｂ）に示すように、バンド本体１１の伸縮部１１Ａの中間部を首の後に掛け、両端側の面ファスナー部１１Ｂを両脇から背中へ回して交差させてそれらを面接触結合させることにより、装着することができる。
【００７９】
両肩Ｕ8を冷やしたい場合、実施形態３のサポートバンド２００の２個の袋体２０１の各ポケット部１０４に市販の保冷剤Ｑ（図１７参照）を収納し、サポートバンド２００を使用者Ｕの肩周りに巻き付ける。
【００８０】
＜他の装着例＞
図９で説明したサポートバンド１０による膝Ｕ1のサポートにおいて、打撲等で痛めた膝を冷却したい場合は、実施形態３のサポートバンド２００を用いることにより保冷剤にて膝を冷やすことができる。
また、図１０で説明したサポートバンド１０による足首Ｕ6のサポートにおいて、捻挫等で痛めた足首を冷却したい場合は、実施形態３のサポートバンド２００を用いることにより保冷剤にて膝を冷やすことができる。
【００８１】
（実施形態４）
実施形態１〜３では１枚の生地の一面側と他面側にフック状繊維面部１１Ｂａとループ状繊維面部１１Ｂｂが設けられた面ファスナー部１１Ｂを例示したが、本発明はこれに限定されるものではない。例えば、１枚の生地の一面にフック状繊維面部が設けられ、他の１枚の生地の一面にループ状繊維面部が設けられ、これら２枚の生地の他面同士を接触させるようにして縫い合わせることにより面ファスナー部を形成してもよい。
【００８２】
（実施形態５）
実施形態１〜３では、伸縮部１１Ａのみにゴムバンドを用いたサポートバンド１０を例示したが、本発明はこれに限定されるものではない。例えば、サポートバンドの全長分をゴムバンドで構成し、そのゴムバンドの両端側の両面に面ファスナー部を構成するフック状繊維面部およびループ状繊維面部を長手方向に連続的または断続的に縫い付けてサポートバンドを作製してもよい。
【００８３】
このようにしても、中間帯部の伸び率と面ファスナー部の伸び率とを異ならせることができる。また、フック状繊維面部およびループ状繊維面部を長手方向に断続的に設けた場合は、実施形態５における面ファスナー部の伸び率を中間帯部よりも小さいが実施形態１の面ファスナー部よりも大きくすることができる。
【００８４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８５】
１１  バンド本体
１１Ａ  中間帯部
１１Ｂ  面ファスナー部
１１Ｂａ  フック状繊維面部
１１Ｂｂ  ループ状繊維面部
１０１、２０１  袋体
１０２、２０２  袋本体
１０３、２０３  熱緩衝材
１０４、２０４  ポケット部
１０５、２０５  輪部
【図１】
2018088983.tif 000003
【図２】
2018088983.tif 000004
【図３】
2018088983.tif 000005
【図４】
2018088983.tif 000006
【図５】
2018088983.tif 000007
【図６】
2018088983.tif 000008
【図７】
2018088983.tif 000009
【図８】
2018088983.tif 000010
【図９】
2018088983.tif 000011
【図１０】
2018088983.tif 000012
【図１１】
2018088983.tif 000013
【図１２】
2018088983.tif 000014
【図１３】
2018088983.tif 000015
【図１４】
2018088983.tif 000016
【図１５】
2018088983.tif 000017
【図１６】
2018088983.tif 000018
【図１７】
2018088983.tif 000019
【図１８】
2018088983.tif 000020
【図１９】
2018088983.tif 000021
【図２０】
2018088983.tif 000022